(57)【要約】      （修正有）【課題】プリンタヘッドを案内する可動レールの高さを容易かつ確実に調整することができ、かつ、低コスト化を図ることができる可動レール調整機構を提供する。【解決手段】プリンタヘッドを案内する可動レール１の高さ調整機構を、支持台２と、この支持台２に載せられ、支持ポスト４の間を支持台２にカシメまたはねじ止め、若しくは固定された平板状の上下動部材３と、この上下動部材３に所定間隔に載せられて取り付けられ、支持台２と反対側に可動レール１が取り付けられている複数の支持ポスト４と、この各支持ポスト４の下側に上面が接し、上下動部材３を貫通して支持台２に螺合している複数の調整ねじ５と、で構成した。【選択図】図１
2008260183.tif 000002
【特許請求の範囲】
【請求項１】
プリンタヘッドを案内する可動レールの高さを調整する可動レールの高さ調整機構であって、
支持台と、
この支持台に載せられた上下動部材と、
この上下動部材に所定間隔に載せられて取り付けられ、前記支持台と反対側に前記可動レールが取り付けられている複数の支持ポストと、
この各支持ポストの下側に上面が接し、前記上下動部材を貫通して前記支持台に螺合している複数の調整ねじとからなる、
ことを特徴とする可動レール高さ調整機構。
【請求項２】
請求項１に記載の可動レール高さ調整機構において、
前記調整ねじの上面に、円周方向に凹凸が設けられ、
前記調整ねじの上面が接する前記支持ポストの接触部に、前記調整ねじの凹凸と噛み合う凹凸が設けられている、
ことを特徴とする可動レール高さ調整機構。
【発明の詳細な説明】
【技術分野】
【０００１】
本発明は、例えば、Ａ０、Ａ１の用紙などに対して記録（印字）を行う大型のインクジェットプリンタにおいて、プリンタヘッドを案内する可動レールの高さを容易かつ確実に調整することができる可動レールの高さ調整機構に関する。
【背景技術】
【０００２】
一般に、コンピュータ、ワードプロセッサ等の出力装置として、インクジェットプリンタが用いられている。
【０００３】
従来、インクジェットプリンタは、印字部と平行に可動レールが設けられており、この可動レールに、プリンタヘッドが可往復動できるように装着されている。可動レールは、その両端部がインクジェットプリンタのフレームにより支持されており、可動レールの部品精度およびプリンタフレームの部品精度が高められることで、印字部に対して平行を保持している。しかし、Ａ０、Ａ１の記録用紙あるいは、さらに大型の記録用紙に印字する大型のインクジェットプリンタは、可動レールの長さ寸法が１メートルを超えるものがあり、可動レールがその自重で撓んでしまい、印字面に対して平行を保持することができないという問題が生じている。
【０００４】
この問題に対し、例えば、下記の特許文献１にて、可動レールを印字面に対して平行に保持するための可動レールの高さ調整を行う仕組みが提案されている。
【特許文献１】特開平１１−２０８０５２号公報
【０００５】
特許文献１には、図５に示すように、可動レール１０を印字面に対して平行に保持するための可動レール１０の高さ調整を行う仕組みとして、可動レール１０と、インクジェットプリンタに設けられた支持台２０との間に、平板状の上下動部材３０が配設され、この上下動部材３０の両端部に、台形状を有し、上縁が可動レール１０の外周面に沿った弧状に形成されている支持ポスト４０がそれぞれ立設されたものが示されている。
【０００６】
そして、上下動部材３０には、両端部に、上下動部材３０の高さを調整するための高さ調整ねじ５０が、それぞれ二つずつ可動レール１０に対して直交する方向に並列して螺入されている。高さ調整ねじ５０は、上下動部材３０を上側から螺合して貫通し、下端が支持台２０の上面に当接している。さらに、上下動部材３０の両端部には、螺入されている高さ調整ねじ５０より外側に、固定ねじ６０がそれぞれ二つずつ可動レール１０に対して直交する方向に並列して貫通されている。固定ねじ６０は、上下動部材３０と支持台２０とを固定するため、上下動部材３０を上側から貫通し、支持台２０の上面に形成されたねじ穴７０に螺合している。
【０００７】
可動レール１０の高さを調整する場合、上下動部材３０を貫通している固定ねじ６０を緩めた状態で、高さ調整ねじ５０を上下動部材３０に対して螺入あるいは螺出する。そうすると、上下動部材３０が、支持台２０に対して離れあるいは近づき、これに伴って、上下動部材３０の両端部に立設された二つの支持ポスト４０が、支持台２０に対して離れあるいは近づくので、可動レール１０の高さが調整されて、印字面と可動レール１０との平行度が調整される。なお、印字面と可動レール１０との平行度の調整を終えた後、緩めた状態の固定ねじ６０を締め付けることで、上下動部材３０と支持台２０とが固定されて、可動レール１０の高さ調整が完了する。
【発明の開示】
【発明が解決しようとする課題】
【０００８】
しかし、上記のような可動レール１０の高さ調整を行う仕組みでは、可動レール１０を印字面に対して平行に保持するのに、螺入や螺出しなければならないねじの数が多く、作業が面倒であるという問題がある。特に、プリンタヘッドのほか、プリンタヘッドを自在に往復動させるチューブ、インクカートリッジなどプリンタ部品が密集する場所にある高さ調整ねじ５０および固定ねじ６０を、ドライバーを入れて螺入あるいは螺出して上下動部材３０の高さ調整を行う必要があるため、微調整などで幾度となくドライバーを使用することで、これらのプリンタ部品を傷つけてしまうおそれがあるという問題もあった。
【０００９】
そこで、本発明は、上記実情に鑑み提案され、可動レールの高さ調整を行う仕組みを工夫し、プリンタヘッドを案内する可動レールの高さを容易かつ確実に調整することができ、特に、可動レールの高さ調整の作業を少なく、かつ、簡便にして、低コスト化をも図ることができる可動レールの高さ調整機構を提供することを目的とする。
【課題を解決するための手段】
【００１０】
上記目的を達成するために、本発明は、プリンタヘッドを案内する可動レールの高さを調整する可動レールの高さ調整機構であって、支持台と、この支持台に載せられた上下動部材と、この上下動部材に所定間隔に載せられて取り付けられ、前記支持台と反対側に前記可動レールが取り付けられている複数の支持ポストと、この各支持ポストの下側に上面が接し、前記上下動部材を貫通して前記支持台に螺合している複数の調整ねじとからなる、ことを特徴とする。
【００１１】
そして、上記の調整ねじの上面に、円周方向に凹凸を設け、調整ねじの上面が接する支持ポストの接触部に、調整ねじの凹凸と噛み合う凹凸を設けることが好ましい。
【発明の効果】
【００１２】
本発明では、可動レールの高さ調整機構を工夫し、従来必要だった固定ねじを省き、一箇所の支持ポストにつき、一つの調整ねじを螺入、螺出するだけで、上下動部材を上下動させて、可動レールの高さを調整できるので、作業を少なく、かつ簡便にしつつ、プリンタヘッドを案内する可動レールの高さを容易かつ確実に調整することができる。また、可動レールの高さ調整に必要な部品点数を抑えることができるので、プリンタの低コスト化を図ることもできる。
【００１３】
特に、上記した調整ねじの上面に、円周方向に凹凸を設け、さらに、調整ねじの上面が接する支持ポストの接触部にも調整ねじの凹凸と噛み合う凹凸を設けたので、これらの凹凸が噛み合うことで、調整ねじの上面が可動レールおよび支持ポストの自重により強固に固定されることとなり、調整ねじが緩むことなく、支持台および支持ポストに確実に固定されて、可動レールと印字面との平行を保持することができる。
【発明を実施するための最良の形態】
【００１４】
以下、本発明に係る一実施形態について図１および図２を参照しながら説明する。
図１は、本発明に係る可動レールの高さ調整機構の一実施形態を示した部分断面図である。図２（ａ）は、本発明に係る可動レール高さ調整機構の一実施形態に用いる、調整ねじの上端部の拡大平面図であり、図２（ｂ）は、本発明に係る可動レール高さ調整機構の一実施形態に用いる、調整ねじの上端部の拡大正面図である。また、図３は、本発明に係る可動レールの高さ調整機構を可動レールの複数箇所に設けた場合を示す平面図であり、図４は、本発明に係る可動レールの高さ調整機構を可動レールの複数箇所に設けた場合を示す部分断面図である。
【００１５】
本発明は、図３および図４に示す通り、補強した平板からなる支持台２と、この支持台２に載せられ、後述する支持ポスト４の間を支持台２にカシメまたはねじ止め、若しくは固定された平板状の上下動部材３と、この上下動部材３に所定間隔に載せられて取り付けられ、支持台２と反対側に可動レール１が取り付けられている複数の支持ポスト４と、この各支持ポスト４の下側に上面が接し、上下動部材３を貫通して支持台２に螺合している複数の調整ねじ５とからなる、プリンタヘッドを案内する可動レール１の高さ調整機構であって、特に、図１では、インクジェットプリンタ内に複数の箇所がある可動レール１の高さ調整機構のうち、一箇所の可動レール１の高さ調整機構を示したものである。
【００１６】
まず、一箇所の可動レール１の高さ調整機構につき、一つの調整ねじ５が、上下動部材３を上下動させるために設けられている。調整ねじ５は、上下動部材３を上側から貫通し、ねじ部５ｃが支持台２に螺合している。また、調整ねじ５の上端部には、ねじ頭部５ａとともに、ねじ頭部５ａの周縁にツバ部５ｂが形成されている。このツバ部５ｂの上面には、図２に示す通り、円周方向に凹凸が設けられている。
【００１７】
また、図１において、上下動部材３に載せられている支持ポスト４には、支持台２と反対側の載置部４ａに取付ねじ４１で可動レール１が取り付けられている。さらに、調整ねじ５を螺入または螺出するための、例えば、ドライバーを差し込むための差し込み孔４ｂが設けられている。
なお、取付ねじ４１は、可動レール１と上下動部材３とを、支持ポスト４を介して連結し、上下動部材３の上下動に伴って可動レール１を上下動させるものである。
【００１８】
差し込み孔４ｂは、小径の孔の下に大径の穴が同心状に連続する形状とされ、調整ねじ５のツバ部５ｂの上面が接するねじ接触部４ｃ（大径の穴の天井部分）が設けられている。具体的には、調整ねじ５のツバ部５ｂが差し込み孔４ｂに下側から収容されることにより、調整ねじ５のツバ部５ｂがねじ接触部４ｃに接し、そうすると、調整ねじ５のねじ頭部５ａが差し込み孔４ｂの上側から覗けるようになる。また、支持ポスト４のねじ接触部４ｃには、調整ねじ５のツバ部５ｂに設けられた凹凸と噛み合う凹凸が設けられている。
【００１９】
したがって、本発明に係る可動レール１の高さ調整機構は、支持ポスト４の差し込み孔４ｂに収容されている調整ねじ５の上端部のねじ頭部５ａを、ドライバーなどで螺入あるいは螺出することにより、上下動部材３が、支持台２に対して離れあるいは近づき、これに伴って、上下動部材３に載置されている支持ポスト４が、支持台２に対して離れあるいは近づく。そうすると、支持ポスト４の上下動に伴って、可動レール１の高さが上下動するので、印字面と可動レール１との平行度を調整することができる。
【００２０】
特に、印字面と可動レール１との平行度の調整を終えた後、調整ねじ５の上面の凹凸が設けられているツバ部５ｂに、可動レール１および支持ポスト４の自重がかかるとともに、支持ポスト４のねじ接触部４ｃに設けられた凹凸が噛み合うので、調整ねじ５の上端部が、支持ポスト４に強固に固定される。そして、調整ねじ５のねじ部５ｃは、支持台２に螺合して固定されているので、従来のように、固定ねじを操作することなく、印字面と可動レール１との平行を保持することができる。
【００２１】
すなわち、本発明に係る可動レール１の高さ調整機構は、一箇所の支持ポスト４に対して、一つの調整ねじ５を螺入または螺出するという操作のみにより、上下動部材３を上下動させて、可動レール１の高さを調整することができるので、簡便かつ少ない作業により、プリンタヘッドを案内する可動レール１の高さを容易かつ確実に調整することができる。さらに、可動レール１の高さ調整に必要な部品点数を抑えることができるので、インクジェットプリンタの低コスト化を図ることもできる。
【００２２】
なお、本発明に係る可動レール１の高さ調整機構では、図１に示す通り、上下動部材３に、支持ポスト４を載置する位置を固定するための位置決め孔３ａを設け、そして、支持ポスト４にも、上下動部材３の位置決め孔３ａに対応した位置決めダボ４ｄを設けて、この支持ポスト４の位置決めダボ４ｄを上下動部材３の位置決め孔３ａに嵌合させて固定し、支持ポスト４を上下動部材３に載せるとよい。そうすると、上下動部材３と支持ポスト４とが、強固に固定されるので、可動レール１の高さを調整した後の、可動レール１と印字面との平行の保持を、より確実なものとすることができる。
【００２３】
以上、本発明の一実施形態を詳述したが、本発明は上記の一実施形態に限定されるものではない。そして本発明は、特許請求の範囲に記載された事項を逸脱することがなければ、種々の設計変更を行うことが可能である。
【００２４】
上記した実施形態では、支持ポスト４のねじ接触部４ｃと、調整ねじ５のツバ部５ｂとに凹凸を設けた例で説明したが、例えば、本発明は、主に大型のインクジェットプリンタに適用されるので、調整ねじの上端部のツバ部に凹凸を形成せず、これに対応する支持ポストの差し込み孔のねじ接触部に凹凸を形成しなくても、可動レールおよび支持ポストの自重により、上下動部材と支持台とが確実に固定されるので、本発明に係る効果を十分に期待することができる。また、支持ポストのねじ接触部と、調整ねじのツバ部との少なくとも一方に凹凸を設けても、同様な効果を得ることができる。
そうすると、高さ調整ねじ上端部のツバ部に凹凸を形成するための手間が省け、または、支持ポストの載置部のねじ接触部に凹凸を形成する手間が省けるので、さらなる低コスト化を図ることが可能となる。
【図面の簡単な説明】
【００２５】
【図１】本発明に係る可動レール高さ調整機構の一実施形態を示す部分断面図である。
【図２】（ａ）は、本発明に係る可動レール高さ調整機構の一実施形態に用いる、調整ねじの上端部の拡大平面図である。（ｂ）は、本発明に係る可動レール高さ調整機構の一実施形態に用いる、調整ねじの上端部の拡大正面図である。
【図３】本発明に係る可動レールの高さ調整機構を可動レールの複数箇所に設けた場合を示す平面図である。
【図４】本発明に係る可動レールの高さ調整機構を可動レールの複数箇所に設けた場合を示す部分断面図である。
【図５】従来の可動レール調整機構を示す部分断面図である。
【符号の説明】
【００２６】
１    可動レール
２    支持台
３    上下動部材
３ａ  位置決め孔
４    支持ポスト
４１  取付ねじ
４ａ  載置部
４ｂ  差し込み孔  
４ｃ  ねじ接触部
４ｄ  位置決めダボ
５    調整ねじ
５ａ  ねじ頭部  
５ｂ  ツバ部
５ｃ  ねじ部        
１０  可動レール
２０  支持台
３０  上下動部材
４０  支持ポスト
５０  高さ調整ねじ
６０  固定ねじ
７０  ねじ穴
【図１】
2008260183.tif 000003
【図２】
2008260183.tif 000004
【図３】
2008260183.tif 000005
【図４】
2008260183.tif 000006
【図５】
2008260183.tif 000007